(57)【特許請求の範囲】
【請求項１】
物品の保管および取り出しのためのロック可能なパッケージであって、
内部の空洞と開放端とを有し、少なくとも１つのロック用柱とロック用柱の近傍の解放ボタンとを備える外スリーブと、
外スリーブの内部の空洞に収容され、パッケージがロック位置にあるときに外スリーブの開放端において外スリーブに当接するように配置された少なくとも１つのレリーフを有するスライドトレイであって、アクセス窓を介してアクセスすることが可能であって少なくとも１つの物品を収容するように構成されている少なくとも１つの区画を画定し、前記ロック用柱に解除可能に係合するように構成された少なくとも１つのロック穴を有するロック用タブと、内側への押しの力が印加された場合に、前記区画内に収容された物品の取り出しを促すように配置されているレバーとをさらに備える、スライドトレイと
を備えており、
解放ボタンを内側へと押して前記ロック穴を前記ロック用柱から外すことによって、前記スライドトレイのロック位置から非ロック位置への平行移動を可能にするように構成されている、ロック可能なパッケージ。
【請求項２】
外スリーブが、解放ボタンの内側への動きを停止させるように構成された解放ボタンストッパをさらに備える、請求項１に記載のロック可能なパッケージ。
【請求項３】
スライドトレイが、前記解放ボタンストッパを受け入れるように構成された収容ノッチをさらに備える、請求項２に記載のロック可能なパッケージ。
【請求項４】
スライドトレイが、外スリーブに当接する１対の対向するレリーフを備える、請求項１に記載のロック可能なパッケージ。
【請求項５】
前記区画をまたぐ物品カバーをさらに備え、
前記区画への前記アクセス窓に連係して位置合わせした破ることができるゲートを備え、破ることができるゲートが、物品カバーから持ち上げられ、または物品カバーから引き裂かれるように構成されている、請求項１に記載のロック可能なパッケージ。
【請求項６】
外スリーブが、１対のロック用柱を備えており、前記スライドトレイの前記ロック用タブが、対応する１対のロック穴を備える、請求項１に記載のロック可能なパッケージ。
【請求項７】
外スリーブが、外スリーブにおける前記スライドトレイの移動を側方から案内するように構成された案内レールをさらに備える、請求項１に記載のロック可能なパッケージ。
【請求項８】
前記スライドトレイが、１つ以上の係合ストッパをさらに備えており、外スリーブが、前記係合ストッパに対応する１つ以上の係合リブをさらに備えており、前記係合リブが、前記係合ストッパに接触して、前記スライドトレイの外スリーブからの完全な引き出しを防止するように配置されている、請求項１に記載のロック可能なパッケージ。
【請求項９】
前記区画が、スライドトレイ内の内側壁によって画定されている、請求項１に記載のロック可能なパッケージ。
【請求項１０】
前記スライドトレイが、下部および下部へと取り付けられる上部を備え、前記区画が、下部から延びる側壁によって画定され、前記アクセス窓が、上部によって画定されている、請求項１に記載のロック可能なパッケージ。
【請求項１１】
前記スライドトレイが、複数の区画を画定し、各々の区画が、少なくとも１つの物品を収容するように構成されている、請求項１に記載のロック可能なパッケージ。
【請求項１２】
前記スライドトレイが、前記区画を含む下部と、前記区画をまたぎ、前記下部へと取り付けられる上部とを備える、請求項１に記載のロック可能なパッケージ。
【請求項１３】
前記外スリーブが、前記内部の空洞を形成すべく第２の側へと対をなすように接続される第１の側を備える、請求項１に記載のロック可能なパッケージ。
【請求項１４】
前記区画に収容された少なくとも１つの物品をさらに含む、請求項１に記載のロック可能なパッケージ。
【請求項１５】
物品が、キャンディ、食品、ビタミン、たばこ製品、コンタクトレンズ、避妊具、禁煙パッチ、および補聴器の電池からなる群から選択される、請求項１４に記載のロック可能なパッケージ。
【請求項１６】
前記少なくとも１つの物品が、第２の物品を収容している一次容器の形態である、請求項１４に記載のロック可能なパッケージ。
【請求項１７】
一次容器が、小袋、チップ、小かばん、ピロー、薬瓶、およびブリスターパックからなる群からから選択される、請求項１６に記載のロック可能なパッケージ。
【発明の詳細な説明】
【技術分野】
【０００１】
本発明は、広くには、物品の保管および取り出しのためのロック可能なケースに関する。より具体的には、本発明は、ロック機構と、解放機構と、物品および／または物品を保持する一次容器を保持する区画化されたスライドトレイとを含むパッケージに関する。
【背景技術】
【０００２】
容器を開くために複数の動きを必要とするチャイルドプルーフな容器またはロック可能な容器は、多数の用途を有する。ロック可能な容器の１つの用途は、丸薬および錠剤の形態の薬物および薬剤など、予定外の者が使用した場合に致命的な結果となり得る物品へのアクセスを阻止することにある。例えば、薬瓶のロック式キャップが知られている。典型的なロック式キャップの機構は、キャップを瓶から取り外して内部の物品にアクセスするために、キャップを回転させるときに、連係された位置合わせとチッピング、軸方向の圧力、または半径方向内向きの圧迫を必要とする。
【発明の概要】
【発明が解決しようとする課題】
【０００３】
他の例として、物品を一次容器に入れ、一次容器をまとめて、板紙製の箱などの二次容器に入れることができる。一次容器の例として、チップ、小かばん、小袋、ピロー、薬瓶、ブリスターパック、などが挙げられる。１つ以上の一次容器を保持している典型的な板紙製の箱が開かれる場合、すべての物品が速やかに利用可能である。このような二次容器を開くことができる子供らが、今や子供らによる使用を目的としていない危険な量の物品にアクセスできてしまう。
【課題を解決するための手段】
【０００４】
現在の技術水準に対して、本出願の出願人は、物品および／または一次容器を区画に保持して保管し、順序正しく取り出すことができる容器について、ニーズおよび市場を生み出そうとする。さらに、本出願の出願人は、１つ以上の区画をトレイなどのスライド部材に配置して有する容器について、ニーズおよび市場を生み出そうとする。また、本出願の出願人は、ロック解除に連係動作が必要であるチャイルドプルーフの特徴を備えるスライド式の区画化されたトレイを有する容器について、ニーズおよび市場を生み出そうとする。さらに、本出願の出願人は、安価に製造できて再使用可能であるスライド式の区画化されたトレイを有するチャイルドプルーフな二次パッケージについて、ニーズおよび市場を生み出そうとする。
【図面の簡単な説明】
【０００５】
【図１】本発明による典型的なロック可能なパッケージの分解図である。
【図２】図１のロック可能なパッケージの別の分解図である。
【図３】部分的に組み立てられた図１のパッケージの分解図である。
【図４】さらに組み立てられた図１のパッケージの分解図である。
【図５】図１のパッケージのさらなる組み立てを示している。
【図６】完全に組み立てられた図１のパッケージの図を示している。
【発明を実施するための形態】
【０００６】
必要事項として、本発明の詳細な実施形態を、本明細書に開示する。開示される実施形態が、種々の異なる形態およびそれらの組み合わせにて具現化可能である本発明のあくまでも典型に過ぎないことを、理解しなければならない。本明細書において使用されるとき、用語「典型」は、例示、見本、モデル、または原型として機能する実施形態を指して広く使用される。図面は、必ずしも縮尺通りではなく、いくつかの特徴が、特定の構成要素の詳細を示すために誇張または最小限に抑えられることがある。他の場合には、知られている構成要素、システム、材料、または方法は、本発明を曖昧にしてしまわないよう、詳しくは説明されていない。したがって、本明細書に開示される具体的な構造および機能の詳細を、本発明を限定するものと理解するべきではなく、あくまでも特許請求の範囲の土台として理解すべきであり、本発明のさまざまな使用を当業者に教示するための代表的な土台として理解すべきである。
【０００７】
本発明が、例示の実施形態において言及される薬剤およびパーソナルヘルスケア関連の物品に限られず、任意の小型、繊細、敏感、または携帯用の物品に適用可能であることを、理解すべきである。そのような物品の例として、キャンディ、食品、ビタミン、たばこ、などといったあらゆる様相の消費財、コンタクトレンズ、避妊具、禁煙パッチ、補聴器の電池、などといったあらゆる様相のパーソナルケア製品、ならびに携帯容器に入れることができる任意の品物が挙げられる。さらに、本発明は、例示の実施形態において言及される区画を有するスライド式のトレイに限られず、任意の種類の物品を保持、保管、取り付け、または固定でき、あるいは他の方法で物品と組み合わせることができる任意のスライド式の部材、カード、ラック、支持具、ホルダ、棚、引き出し、容器、などに適用可能である。
【０００８】
次に、図面を参照すると、全体を通して、同等の特徴は同等の参照番号で表わされており、本発明の実施形態が示されている。最初に、図５に一時的に目を向けると、典型的なロック可能なパッケージ１０の２つの図が示されている。図示のとおり、ロック可能なパッケージ１０は、ロック可能なスリーブ１４の内側にスライド部材１２を保持している。
【０００９】
図１および図２に目を向けると、スリーブ１４は、下部１６および上部１８を備える。下部１６が、解放ボタン２０を含む。解放ボタン２０は、解放囲い２２と解放ボタン２０を下部１６へと接続しているヒンジ２４とによって定められている。さらに、解放ボタン２０は、自由端２６を含む。解放ボタン２０を内側へと押すことで、自由端２６が内側へと押され、後述のとおり、スライド部材１２のロックが解除される。
【００１０】
下部１６は、内部のロック機構を形成する部材をさらに含んでおり、すなわち各々がそれぞれの係合縁３０を有する複数のロック用柱２８ａ、２８ｂが、解放ボタン２０の近傍に位置している。別の実施形態においては、ロック用柱が１つだけ設けられ、他の実施形態においては、さらなるロック用柱２８ｘが設けられる。さらに、スリーブ下部１６は、案内レール３２を含む。後述のとおり、スリーブの下部１６および上部１８に、取り付けのための手段３４、３５および随意による切り欠き３６が組み合わせられている。さらに、スリーブ上部１８は、ストッパリブ３８ａ、３８ｂおよび解放ボタンストッパ３９を含む。
【００１１】
図示のスライド部材１２は、スライド下部４０、スライド上部４２、および一次容器４４をまたぐ物品カバー４６を備える。ここで、本発明を限定しようとするものではなく、説明の目的のために、一次容器４４が、ビタミンなどの消耗品またはコンタクトレンズなどのパーソナルケア製品を保持する小袋として示されている。しかしながら、チップ、小かばん、小袋、ピロー、薬瓶、ブリスターパック、など、他の一次容器またはさらなる一次容器４４も考えられる。
【００１２】
典型的なスライド下部４０は、少なくとも１つの一次容器４４を保管するための少なくとも１つの区画または物品保管場所４８を含む。別の実施形態においては、物品が、一次容器４４にこだわることなく物品保管場所４８に直接配置される。物品保管場所４８からの一次容器４４または物品の取り出しを容易にするために、付勢手段が設けられる。図示の付勢手段は、レバー囲い５２によって定められたレバー５０である。レバー５０を内側へ押すことで、後述のとおり一次容器４４または物品が保管場所４８から押し出される。別の付勢手段として、板ばね、可撓リブ、ホイール、および物品保管場所４８の内部または付近に位置し、一次容器４４へと圧縮力を作用させる同様の構成が挙げられる。
【００１３】
図示のスライド部材４０は、いくつかのロック穴５６ａ、５６ｂを有するロック用タブ５４をさらに含んでおり、ロック穴５６ａ、５６ｂが、いくつかのロック用柱２８ａ、２８ｂの各々に解除可能に係合するように構成されている。すなわち、ロック穴５６ａ、５６ｂが、スライド部材１２が解放ボタン２０を押し、あるいは他の方法で適切に操作することによって意図的に解放されるまで、スリーブ１４から出ようとするスライド部材１２の運動または横方向の平行移動を防止するために、スライド下部４０をスリーブ下部１６へと連係係合させるように構成されている。
【００１４】
スライド上部４２は、いくつかの物品保管場所４８の各々に対応するいくつかのアクセス窓６０と、いくつかのストッパリブ３８ａ、３８ｂの各々に対応する係合ストッパ６２ａ、６２ｂと、収容ノッチ６４と、レリーフ６６とを備える。図示のスライド下部４０も、レリーフ６６を含む。
【００１５】
いくつかのアクセス窓６０の各々に対応するいくつかのゲート７０が、物品カバー４６に位置している。図５および図６に最もよく示されているが、ロック可能なパッケージ１０を形成するための上述の部材の組み立ておよび動作を、次に説明する。
【００１６】
スリーブ１４の典型的な組み立て方法を、図１から図３に最もよく見ることができる。スリーブの下部１６および上部１８を、対をなして円筒３５と係合するピン３４によって、恒久的または一時的に取り付けることができる。この方法で、下部１６および上部を、はめ合わせることが可能である。さらに、所望であれば、スリーブ１４を恒久的に溶接、接着、または他の方法で接続してもよい。下部１６を上部１８へと接続することで、開放端を有しており、空洞を画定しているロック可能なスリーブ１４が、図３から図５に最もよく見られるように組み立てられる。
【００１７】
同様の方法で、スライド部材１２の典型的な組み立て方法が、図１から図５に示されている。一次容器４４が、それぞれの物品保管場所４８に配置され、物品カバー４６が、各々のゲート７０がそれぞれの物品保管場所４８に対応して位置合わせするように、物品保管場所４８を覆って配置される。次いで、スライド上部４２が、各々のアクセス窓６０がそれぞれのゲート７０に対応して位置合わせするように、物品カバー４６を覆って配置される。スライド下部４０、物品カバー４６、およびスライド上部４２を位置合わせさせた状態で、部材を、対をなして円筒３５と係合するピン３４によって、恒久的または一時的に取り付けることができる。この方法で、スライド下部４０およびスライド上部４２を、はめ合わせることが可能である。さらに、所望であれば、スライド部材１２を恒久的に溶接、接着、または他の方法で接続してもよい。スライドの下部４０を上部４２へと接続することで、スライド部材１２が、図５に最もよく見られるように組み立てられる。
【００１８】
図５および図６に最もよく示されているとおり、組み立てられたスライド部材１２が、ロック可能なパッケージ１０を形成すべく、組み立てられたスリーブ１４へと挿入される。図１に目を向けると、スライド部材１２をスリーブ１４の開放端へと挿入するとき、案内レール３２が、ロック用タブ５４およびスライド部材１２をスリーブ１４の内部へと側方から案内する。スライド部材１２を完全に挿入することで、ロック用タブ５４がロック用タブ２８ａ、２８ｂを乗り越え、ロック用タブ２８ａ、２８ｂが、ロック穴５６ａ、５６ｂを貫き、それぞれの係合縁３０においてロック穴５６ａ、５６ｂに係合する。同時に、収容ノッチ６４が、解放ボタンストッパ３９によってスライド部材１２の完全な挿入が妨げられることがないようにする。ロック用タブ２８ａ、２８ｂおよびロック穴５６ａ、５６ｂが係合した状態で、スライド部材１２は、今やスリーブ１４に完全に挿入され、解除可能にロックされている。
【００１９】
ロックされたスライド部材１２を保護スリーブ１４から解放するために、ロック穴５６ａ、５６ｂがロック用柱２８ａ、２８ｂの上方へと持ち上げられるまでロック用タブ５４を持ち上げるべく、解放ボタン２０が内側へと押される。同時に、スライド部材１２の反対側の端部または自由端が、１対のレリーフ６６において把持され、少なくとも物品保管場所４８が露出するまで引き出される。図示のスライド部材１２を、引き続きスリーブ１４から引き出すことが可能であるが、係合ストッパ６２ａ、６２ｂがそれぞれのストッパリブ３８ａ、３８ｂに当接することで、完全な引き出しが阻止される。
【００２０】
解放ボタンストッパ３９が、解放ボタン２０が過剰に内側へと押されて破損する恐れを防止する。さらに、解放ボタンストッパ３９の高さおよび位置が、解放ボタン２０の操作の容易さまたは難しさ、ならびにロック用穴５６ａ、５６ｂのロック用柱２８ａ、２８ｂとの係合を左右することができる。さらには、係合ストッパ６２ａ、６２ｂおよびストッパリブ３８ａ、３８ｂのそれぞれの位置が、設計上の選択事項である。
【００２１】
図５に最もよく示されているように、一次容器４４をロック可能なパッケージ１０から取り出すために、スライド部材１２が、所望の物品保管場所４８が露出されるまで引き出され、またはストッパ部材３８ａ、６２ａ、３８ｂ、６２ｂが当接するまで引き出される。図示の実施形態においては板紙で構成されているゲート７０が、一次容器４４の少なくとも一部を露出させるべく物品カバー４６から持ち上げられ、または物品カバー４６から引き裂かれる。所定の物品保管場所４８のレバー５０を内側へと押すことで、一次容器４４または物品が該当のゲート７０を通って押し出される。１つ以上の一次容器４４または物品を取り出した後で、スライド部材１２を、図６に最もよく示されているとおり、スライド部材１２をスリーブ１４へと完全に挿入することによって再びロックすることができる。
【００２２】
別の実施形態は、別のゲート７０を含む。例えば、特定のパッケージ１０について、チャイルドプルーフ性がそれほどは望まれない場合には、ゲート７０を容易に破ることができるように構成することができる。一方で、特定のパッケージについて、より高いチャイルドプルーフ性が望まれる場合には、ゲート７０を破ることがはるかに困難であるように構成することができる。さらに、物品カバー４６の機能を、スライド上部４２の機能に組み合わせることができる。さらには、別の物品カバー４６ならびに全体としてのパッケージ１０を、プラスチック、ボール紙、板紙、フォイル、これらの組み合わせ、などで製造することができる。
【００２３】
本発明を限定しようとするものではなく、教示の目的のために、本明細書においては、種々の構成要素を、「上」および「下」などといった方向または位置の形容詞を伴って説明したが、多くの構成要素について、その姿勢または位置を変更または逆転できると考えられる。例えば、解放ボタン２０およびロック用柱２８ａ、２８ｂを、スリーブ上部１８に位置させることができ、解放ボタンストッパ３９を、スリーブ下部１６に配置することができ、ロック穴５６ａ、５６ｂを、スライド上部４２に位置させることができ、依然としてスライド部材１２が、ロック可能なスリーブ１４に解除可能にロックされる。さらに、案内レール３２を、スリーブ上部１８に組み合わせることができ、ストッパリブ３８ａ、３８ｂを、スリーブ下部１６に組み合わせることができる一方で、係合ストッパを、スライド下部４０に組み合わせることができる。
【００２４】
法律は、現時点の特許請求の範囲について考えられるすべての実施形態を例示および教示することを要求しておらず、そのようにすることは、法外に非経済的でもある。したがって、上述した実施形態は、単に本発明の原理の明確な理解のために提示された典型的な実施例の説明に過ぎない。上述した実施形態について、特許請求の範囲の技術的範囲から離れることなく、変形例、変更、および組み合わせが可能である。そのような変形例、変更、および組み合わせはすべて、本明細書の開示および以下の特許請求の範囲の技術的範囲に包含される。
【図１】
0005491404.tif 000002
【図２】
0005491404.tif 000003
【図３】
0005491404.tif 000004
【図４】
0005491404.tif 000005
【図５】
0005491404.tif 000006
【図６】
0005491404.tif 000007